(57)【要約】【課題】本発明は練り歯磨き内蔵の歯ブラシを開示した。【解決手段】把柄部を含み、前記把柄部の上端には弧状器がスライドできるように装着され、前記弧状器の上端には歯ブラシロッドが設置され、前記歯ブラシロッドの上端には歯ブラシのヘッドが設置され、前記把柄部の下端には貯蔵溝が左右対称的に設置され、本装置は練り歯磨きを歯ブラシの中に内蔵することができ、しかも同時に二種類の練り歯磨きを内蔵でき、練り歯磨きと歯ブラシが別々に置かれることにより歯磨きをする時の不便を解消するだけではなく、練り歯磨きを歯ブラシに押し出すステップも省略し、同時に二種類の練り歯磨きが内蔵され、交換して使用でき、これにより練り歯磨きが口腔に対する洗浄効果が上がり、本装置が機械の伝動協働により、錯誤が出る可能性を低下させ、同時に単モータを使用して多機能を実現し、装置のコストを低減し、エネルギー消耗を節約する。【選択図】図１
2020179130.tif 000002
【特許請求の範囲】
【請求項１】
正面視で、把柄部を含み、前記把柄部の上端には弧状器がスライドできるように装着され、前記弧状器の上端には歯ブラシロッドが設置され、前記歯ブラシロッドの上端には歯ブラシのヘッドが設置され、前記歯ブラシのヘッドの左側面には刷毛が設置され、前記把柄部の下端には貯蔵溝が左右対称的に設置され、前記貯蔵溝の上端壁には貫通溝が設置され、前記貯蔵溝が前記貫通溝に連通しており、前記貯蔵溝の左端壁には回転チャンバが設置され、前記貯蔵溝が前記回転チャンバに連通しており、前記回転チャンバの上端壁には長スライド溝が設置され、前記回転チャンバが前記長スライド溝に連通しており、前記長スライド溝が前記貫通溝を貫通しており、前記貯蔵溝の中には貯蔵装置が設置され、前記長スライド溝の上端壁には練り歯磨き入りチャンバが設置され、前記練り歯磨き入りチャンバはそれぞれ連結器溝に連通でき、前記連結器溝にはそれぞれ歯ブラシロッド溝が連通され、左端の前記歯ブラシロッド溝には第一Ｌ管が連通され、右端の前記歯ブラシロッド溝には第二Ｌ管が連通され、前記貫通溝の上端壁には作動チャンバが設置され、前記作動チャンバの中には押し装置が設置され、二つの前記作動チャンバの上端には親ねじ溝が設置され、前記親ねじ溝の上端には切換溝が設置され、前記弧状器の下端には動力チャンバが設置され、前記動力チャンバが前記切換溝に連通しており、前記動力チャンバと前記切換溝との中には動力装置が設置され、前記動力装置は前記貯蔵装置と前記押し装置との回転と移動を連動させ、前記歯ブラシのヘッドの下端にはネジ山溝が設置され、前記把柄部の左右両端にはそれぞれ引っ掛かりブロック溝が設置され、前記引っ掛かりブロック溝の左右端壁にはそれぞれリミット溝が設置され、前記弧状器の中にはＴ型環状溝が設置され、前記Ｔ型環状溝の中には解錠装置が設置されたことを特徴とする練り歯磨き内蔵の歯ブラシ。
【請求項２】
前記動力装置はモータを含み、前記モータの下端にはモータ軸が動力が伝達できるように連結され、前記モータ軸の下端にはモータギヤが設置されたことを特徴とする請求項１に記載の練り歯磨き内蔵の歯ブラシ。
【請求項３】
前記貯蔵装置は第一貯蔵機構を含み、前記第一貯蔵機構が前記把柄部の左端に位置しており、前記第一貯蔵機構は貯蔵器を含み、前記貯蔵器と前記貯蔵溝との間には復帰バネが左右対称的に連結され、前記貯蔵器の中には貯蔵器溝が設置され、前記貯蔵器溝の中には輪ゴムが設置され、前記貯蔵器の左端面はラックであり、前記回転チャンバの前後端壁には回転軸が回転できるように連結され、前記回転軸には前記貯蔵器と噛み合っている回転ギヤが設置され、前記長スライド溝の中には作動器がスライドできるように装着され、前記作動器と前記長スライド溝との間には切換バネが連結され、前記作動器の中には連結連通チャンバが設置され、前記連結連通チャンバの上端壁には右溝と左溝が左右対称的にそれぞれ設置され、前記右溝が前記貫通溝に連通でき、前記左溝が前記練り歯磨き入りチャンバに連通でき、前記把柄部の右端には第二貯蔵機構が対称的に設置されたことを特徴とする請求項１に記載の練り歯磨き内蔵の歯ブラシ。
【請求項４】
前記押し装置は第一押し機構を含み、前記第一押し機構が前記把柄部の左端に位置しており、前記第一押し機構は親ねじを含み、前記親ねじが前記切換溝の下端壁と回転できるように連結され、前記親ねじにはネジ山スリーブがネジ山により連結され、前記ネジ山スリーブの上端には前記モータギヤと噛み合うことができるネジ山スリーブギヤが設置され、前記ネジ山スリーブの下端には親ねじがネジ山により連結され、前記親ねじの下端には圧しブロックが設置され、前記圧しブロックの下端には前記作動チャンバとスライドできるように装着されたゴムブロックが設置されたことを特徴とする請求項１に記載の練り歯磨き内蔵の歯ブラシ。
【請求項５】
前記解錠装置は第一解錠機構を含み、前記第一解錠機構が前記把柄部の左端に位置しており、前記第一解錠機構は引っ掛かりブロックを含み、前記引っ掛かりブロックと前記引っ掛かりブロック溝とがスライドできるように装着され、前記引っ掛かりブロック溝の右端にはリミット溝が設置され、前記リミット溝の中にはリミットブロックがスライドできるように装着され、前記リミットブロックが前記引っ掛かりブロックと固定的に連結され、前記リミットブロックと前記リミット溝との間にはリミットバネが連結され、前記把柄部の上端にはＴ型ロッドが設置され、前記Ｔ型ロッドの上端にはＴ型ヘッドが設置され、前記Ｔ型ヘッドの中には台形ブロックスライド溝が設置され、前記台形ブロックスライド溝の下端には前記引っ掛かりブロック溝に連通しているひも溝が設置され、前記台形ブロックスライド溝の中には台形ブロックがスライドできるように装着され、前記台形ブロックと前記台形ブロックスライド溝との間には台形ブロックバネが連結され、前記ひも溝の中には固定滑車が設置され、前記台形ブロックの下端と前記引っ掛かりブロックとの間にはひもが連結され、前記Ｔ型環状溝の上端には前記台形ブロックとスライドできるように装着されることができる台形ブロック引っ掛かり溝が設置され、前記把柄部の右端には第二解錠機構が対称的に設置されたことを特徴とする請求項１に記載の練り歯磨き内蔵の歯ブラシ。
【発明の詳細な説明】
【技術分野】
【０００１】
本発明は日用品分野を取り上げて、具体的には練り歯磨き内蔵の歯ブラシである。
【背景技術】
【０００２】
練り歯磨きは歯ブラシの必需品であり、同じ種類の練り歯磨きは三か月連続で使用できなく、そうでないと口腔に対する洗浄力が明らかに弱くなり、しかし、現有のほとんどの練り歯磨きと歯ブラシは分けて使用されるのであり、それは面倒くさいだけではなく、歯ブラシの使用が単一である欠点がある。
【先行技術文献】
【特許文献】
【０００３】
【特許文献１】中国特許出願公開第１０６２１３７７７号明細書
【発明の概要】
【発明が解決しようとする課題】
【０００４】
本発明は練り歯磨き内蔵の歯ブラシを提供し、上記背景技術において提出された問題を解決することを目的とする。
【課題を解決するための手段】
【０００５】
上記の目的を実現するために、本発明は以下の技術プランを提供する：練り歯磨き内蔵の歯ブラシは、把柄部を含み、前記把柄部の上端には弧状器がスライドできるように装着され、前記弧状器の上端には歯ブラシロッドが設置され、前記歯ブラシロッドの上端には歯ブラシのヘッドが設置され、前記歯ブラシのヘッドの左側面には刷毛が設置され、前記把柄部の下端には貯蔵溝が左右対称的に設置され、前記貯蔵溝の上端壁には貫通溝が設置され、前記貯蔵溝が前記貫通溝に連通しており、前記貯蔵溝の左端壁には回転チャンバが設置され、前記貯蔵溝が前記回転チャンバに連通しており、前記回転チャンバの上端壁には長スライド溝が設置され、前記回転チャンバが前記長スライド溝に連通しており、前記長スライド溝が前記貫通溝を貫通しており、前記貯蔵溝の中には貯蔵装置が設置され、前記長スライド溝の上端壁には練り歯磨き入りチャンバが設置され、前記練り歯磨き入りチャンバはそれぞれ連結器溝に連通でき、前記連結器溝にはそれぞれ歯ブラシロッド溝が連通され、左端の前記歯ブラシロッド溝には第一Ｌ管が連通され、右端の前記歯ブラシロッド溝には第二Ｌ管が連通され、前記貫通溝の上端壁には作動チャンバが設置され、前記作動チャンバの中には押し装置が設置され、二つの前記作動チャンバの上端には親ねじ溝が設置され、前記親ねじ溝の上端には切換溝が設置され、前記弧状器の下端には動力チャンバが設置され、前記動力チャンバが前記切換溝に連通しており、前記動力チャンバと前記切換溝との中には動力装置が設置され、前記動力装置は前記貯蔵装置と前記押し装置との回転と移動を連動させ、前記歯ブラシのヘッドの下端にはネジ山溝が設置され、前記把柄部の左右両端にはそれぞれ引っ掛かりブロック溝が設置され、前記引っ掛かりブロック溝の左右端壁にはそれぞれリミット溝が設置され、前記弧状器の中にはＴ型環状溝が設置され、前記Ｔ型環状溝の中には解錠装置が設置された。
【０００６】
好ましくは、前記動力装置はモータを含み、前記モータの下端にはモータ軸が動力が伝達できるように連結され、前記モータ軸の下端にはモータギヤが設置された。
【０００７】
好ましくは、前記貯蔵装置は第一貯蔵機構を含み、前記第一貯蔵機構が前記把柄部の左端に位置しており、前記第一貯蔵機構は貯蔵器を含み、前記貯蔵器と前記貯蔵溝との間には復帰バネが左右対称的に連結され、前記貯蔵器の中には貯蔵器溝が設置され、前記貯蔵器溝の中には輪ゴムが設置され、前記貯蔵器の左端面はラックであり、前記回転チャンバの前後端壁には回転軸が回転できるように連結され、前記回転軸には前記貯蔵器と噛み合っている回転ギヤが設置され、前記長スライド溝の中には作動器がスライドできるように装着され、前記作動器と前記長スライド溝との間には切換バネが連結され、前記作動器の中には連結連通チャンバが設置され、前記連結連通チャンバの上端壁には右溝と左溝が左右対称的にそれぞれ設置され、前記右溝が前記貫通溝に連通でき、前記左溝が前記練り歯磨き入りチャンバに連通でき、前記把柄部の右端には第二貯蔵機構が対称的に設置された。
【０００８】
好ましくは、前記押し装置は第一押し機構を含み、前記第一押し機構が前記把柄部の左端に位置しており、前記第一押し機構は親ねじを含み、前記親ねじが前記切換溝の下端壁と回転できるように連結され、前記親ねじにはネジ山スリーブがネジ山により連結され、前記ネジ山スリーブの上端には前記モータギヤと噛み合うことができるネジ山スリーブギヤが設置され、前記ネジ山スリーブの下端には親ねじがネジ山により連結され、前記親ねじの下端には圧しブロックが設置され、前記圧しブロックの下端には前記作動チャンバとスライドできるように装着されたゴムブロックが設置された。
【０００９】
好ましくは、前記解錠装置は第一解錠機構を含み、前記第一解錠機構が前記把柄部の左端に位置しており、前記第一解錠機構は引っ掛かりブロックを含み、前記引っ掛かりブロックと前記引っ掛かりブロック溝とがスライドできるように装着され、前記引っ掛かりブロック溝の右端にはリミット溝が設置され、前記リミット溝の中にはリミットブロックがスライドできるように装着され、前記リミットブロックが前記引っ掛かりブロックと固定的に連結され、前記リミットブロックと前記リミット溝との間にはリミットバネが連結され、前記把柄部の上端にはＴ型ロッドが設置され、前記Ｔ型ロッドの上端にはＴ型ヘッドが設置され、前記Ｔ型ヘッドの中には台形ブロックスライド溝が設置され、前記台形ブロックスライド溝の下端には前記引っ掛かりブロック溝に連通しているひも溝が設置され、前記台形ブロックスライド溝の中には台形ブロックがスライドできるように装着され、前記台形ブロックと前記台形ブロックスライド溝との間には台形ブロックバネが連結され、前記ひも溝の中には固定滑車が設置され、前記台形ブロックの下端と前記引っ掛かりブロックとの間にはひもが連結され、前記Ｔ型環状溝の上端には前記台形ブロックとスライドできるように装着されることができる台形ブロック引っ掛かり溝が設置され、前記把柄部の右端には第二解錠機構が対称的に設置された。
【発明の効果】
【００１０】
以上により、本発明の有益効果は：本装置は練り歯磨きを歯ブラシの中に内蔵することができ、しかも同時に二種類の練り歯磨きを内蔵でき、練り歯磨きと歯ブラシが別々に置かれることにより歯磨きをする時の不便を解消するだけではなく、練り歯磨きを歯ブラシに押し出すステップも省略し、同時に二種類の練り歯磨きが内蔵され、交換して使用でき、これにより練り歯磨きが口腔に対する洗浄効果が上がり、本装置が機械の伝動協働により、錯誤が出る可能性を低下させ、同時に単モータを使用して多機能を実現し、装置のコストを低減し、エネルギー消耗を節約する。
【図面の簡単な説明】
【００１１】
下記に図１〜４をあわせて本発明について詳しく説明し、便利に説明するために、下記の方向を以下のように規定する：図１は本発明装置の正面図であり、以下に述べる上下左右前後の方向と図１の自身投影関係の上下左右前後の方向とが一致である。
【００１２】
【図１】図１は本発明の練り歯磨き内蔵の歯ブラシの全体全断面の正面構成模式図
【図２】図２は本発明の歯ブラシのヘッドの構成模式図
【図３】図３は本発明の図１のＡの部分拡大図
【図４】図４は本発明の図１のＢ―Ｂ方向の断面図
【発明を実施するための形態】
【００１３】
図１〜４を参照し、本発明の実施例は：練り歯磨き内蔵の歯ブラシであり、練り歯磨き内蔵の歯ブラシは把柄部１００を含み、前記把柄部１００の上端には弧状器５２がスライドできるように装着され、前記弧状器５２の上端には歯ブラシロッド２２が設置され、前記歯ブラシロッド２２の上端には歯ブラシのヘッド７２が設置され、前記歯ブラシのヘッド７２の左側面には刷毛５３が設置され、前記把柄部１００の下端には貯蔵溝３４が左右対称的に設置され、前記貯蔵溝３４の上端壁には貫通溝４７が設置され、前記貯蔵溝３４が前記貫通溝４７に連通しており、前記貯蔵溝３４の左端壁には回転チャンバ４１が設置され、前記貯蔵溝３４が前記回転チャンバ４１に連通しており、前記回転チャンバ４１の上端壁には長スライド溝４３が設置され、前記回転チャンバ４１が前記長スライド溝４３に連通しており、前記長スライド溝４３が前記貫通溝４７を貫通しており、前記貯蔵溝３４の中には貯蔵装置１０２が設置され、前記長スライド溝４３の上端壁には練り歯磨き入りチャンバ４９が設置され、前記練り歯磨き入りチャンバ４９はそれぞれ連結器溝７１に連通でき、前記連結器溝７１にはそれぞれ歯ブラシロッド溝２３が連通され、左端の前記歯ブラシロッド溝２３には第一Ｌ管５４が連通され、右端の前記歯ブラシロッド溝２３には第二Ｌ管５５が連通され、前記貫通溝４７の上端壁には作動チャンバ３１が設置され、前記作動チャンバ３１の中には押し装置１０３が設置され、二つの前記作動チャンバ３１の上端には親ねじ溝３０が設置され、前記親ねじ溝３０の上端には切換溝２６が設置され、前記弧状器５２の下端には動力チャンバ５０が設置され、前記動力チャンバ５０が前記切換溝２６に連通しており、前記動力チャンバ５０と前記切換溝２６との中には動力装置１０１が設置され、前記動力装置１０１は前記貯蔵装置１０２と前記押し装置１０３との回転と移動を連動させ、前記歯ブラシのヘッド７２の下端にはネジ山溝５６が設置され、前記把柄部１００の左右両端にはそれぞれ引っ掛かりブロック溝６６が設置され、前記引っ掛かりブロック溝６６の左右端壁にはそれぞれリミット溝６４が設置され、前記弧状器５２の中にはＴ型環状溝６９が設置され、前記Ｔ型環状溝６９の中には解錠装置１０４が設置された。
【００１４】
前記動力装置１０１はモータ５１を含み、前記モータ５１の下端にはモータ軸２４が動力が伝達できるように連結され、前記モータ軸２４の下端にはモータギヤ２５が設置され、前記モータ５１を始動し、これにより前記モータ軸２４と前記モータギヤ２５とを連動させて回転させ、その作用は装置全体に動力を提供することである。
【００１５】
前記貯蔵装置１０２は第一貯蔵機構を含み、前記第一貯蔵機構が前記把柄部１００の左端に位置しており、前記第一貯蔵機構は貯蔵器３８を含み、前記貯蔵器３８と前記貯蔵溝３４との間には復帰バネ３６が左右対称的に連結され、前記貯蔵器３８の中には貯蔵器溝３７が設置され、前記貯蔵器溝３７の中には輪ゴム３５が設置され、前記貯蔵器３８の左端面はラックであり、前記回転チャンバ４１の前後端壁には回転軸３９が回転できるように連結され、前記回転軸３９には前記貯蔵器３８と噛み合っている回転ギヤ４０が設置され、前記長スライド溝４３の中には作動器４８がスライドできるように装着され、前記作動器４８と前記長スライド溝４３との間には切換バネ４２が連結され、前記作動器４８の中には連結連通チャンバ４５が設置され、前記連結連通チャンバ４５の上端壁には右溝４６と左溝４４が左右対称的にそれぞれ設置され、前記右溝４６が前記貫通溝４７に連通でき、前記左溝４４が前記練り歯磨き入りチャンバ４９に連通でき、前記把柄部１００の右端には第二貯蔵機構が対称的に設置され、その作用は練り歯磨きを加えることである。
【００１６】
前記押し装置１０３は第一押し機構を含み、前記第一押し機構が前記把柄部１００の左端に位置しており、前記第一押し機構は親ねじ２９を含み、前記親ねじ２９が前記切換溝２６の下端壁と回転できるように連結され、前記親ねじ２９にはネジ山スリーブ２８がネジ山により連結され、前記ネジ山スリーブ２８の上端には前記モータギヤ２５と噛み合うことができるネジ山スリーブギヤ２７が設置され、前記ネジ山スリーブ２８の下端には親ねじ２９がネジ山により連結され、前記親ねじ２９の下端には圧しブロック３２が設置され、前記圧しブロック３２の下端には前記作動チャンバ３１とスライドできるように装着されたゴムブロック３３が設置され、その作用は練り歯磨きを歯ブラシに押し出すことである。
【００１７】
前記解錠装置１０４は第一解錠機構を含み、前記第一解錠機構が前記把柄部１００の左端に位置しており、前記第一解錠機構は引っ掛かりブロック６７を含み、前記引っ掛かりブロック６７と前記引っ掛かりブロック溝６６とがスライドできるように装着され、前記引っ掛かりブロック溝６６の右端にはリミット溝６４が設置され、前記リミット溝６４の中にはリミットブロック６３がスライドできるように装着され、前記リミットブロック６３が前記引っ掛かりブロック６７と固定的に連結され、前記リミットブロック６３と前記リミット溝６４との間にはリミットバネ６５が連結され、前記把柄部１００の上端にはＴ型ロッド６８が設置され、前記Ｔ型ロッド６８の上端にはＴ型ヘッド７０が設置され、前記Ｔ型ヘッド７０の中には台形ブロックスライド溝５７が設置され、前記台形ブロックスライド溝５７の下端には前記引っ掛かりブロック溝６６に連通しているひも溝７３が設置され、前記台形ブロックスライド溝５７の中には台形ブロック５９がスライドできるように装着され、前記台形ブロック５９と前記台形ブロックスライド溝５７との間には台形ブロックバネ６０が連結され、前記ひも溝７３の中には固定滑車６２が設置され、前記台形ブロック５９の下端と前記引っ掛かりブロック６７との間にはひも６１が連結され、前記Ｔ型環状溝６９の上端には前記台形ブロック５９とスライドできるように装着されることができる台形ブロック引っ掛かり溝５８が設置され、前記把柄部１００の右端には第二解錠機構が対称的に設置され、その作用は前記弧状器５２の回転を制御することである。
【００１８】
使用する時、まず歯ブラシのヘッド７２をネジ山２１により歯ブラシロッド２２に回転させて取り付け、これにより第一Ｌ管５４と第二Ｌ管５５はそれぞれ歯ブラシロッド溝２３に連通し、モータ５１を始動し、これによりモータ軸２４と、モータギヤ２５と、ネジ山スリーブギヤ２７と、ネジ山スリーブ２８と、２９との回転により、圧しブロック３２とゴムブロック３３とを連動させて下方へ移動させ、これにより練り歯磨きが貫通溝４７と、連結連通チャンバ４５と、左溝４４と、練り歯磨き入りチャンバ４９と、歯ブラシロッド溝２３と、第一Ｌ管５４とを通して刷毛５３に押し出され、練り歯磨きを変える時、左端の引っ掛かりブロック６７を下方へ移動させ、ひも６１により台形ブロック５９を下方へ引き、そして弧状器５２を回転させて右端の台形ブロック５９を台形ブロック引っ掛かり溝５８の中に引っ掛からせ、この時、右端の連結器溝７１が歯ブラシロッド溝２３に連通し、練り歯磨きを使い切った後、この時、ゴムブロック３３が一番底端に位置しており、この時、新しい練り歯磨きを貯蔵器溝３７の中に挿入し、そして上方へ押し、これにより貯蔵器３８が回転軸３９と回転ギヤ４０とにより作動器４８を左方へ移動させ、これにより貫通溝４７が完全に開けられ、そしてモータ５１を始動し、これによりモータ軸２４と、モータギヤ２５と、ネジ山スリーブギヤ２７と、ネジ山スリーブ２８と、２９との回転により、圧しブロック３２とゴムブロック３３とを連動させて上方へ移動させ、練り歯磨きを作動チャンバ３１の中に吸い込めばよい。
【００１９】
本発明の有益効果は：本装置は練り歯磨きを歯ブラシの中に内蔵することができ、しかも同時に二種類の練り歯磨きを内蔵でき、練り歯磨きと歯ブラシが別々に置かれることにより歯磨きをする時の不便を解消するだけではなく、練り歯磨きを歯ブラシに押し出すステップも省略し、同時に二種類の練り歯磨きが内蔵され、交換して使用でき、これにより練り歯磨きが口腔に対する洗浄効果が上がり、本装置が機械の伝動協働により、錯誤が出る可能性を低下させ、同時に単モータを使用して多機能を実現し、装置のコストを低減し、エネルギー消耗を節約する。
【００２０】
以上に述べたのはただ本発明の具体的な実施方式で、しかし本発明の保護範囲はここに限らないである。全部の創造的な労働を通じなく思いついた変化と取替は本発明の保護範囲にカバーされる。そのため、本発明の保護範囲は権利要求書が限定される保護範囲を標準とする。
【図１】
2020179130.tif 000003
【図２】
2020179130.tif 000004
【図３】
2020179130.tif 000005
【図４】
2020179130.tif 000006
【手続補正書】
【提出日】令和2年2月8日(2020.2.8)
【手続補正１】
【補正対象書類名】特許請求の範囲
【補正対象項目名】全文
【補正方法】変更
【補正の内容】
【特許請求の範囲】
【請求項１】
正面視で、把柄部を含み、前記把柄部の上端には弧状器がスライドできるように装着され、前記弧状器の上端には歯ブラシロッドが設置され、前記歯ブラシロッドの上端には歯ブラシのヘッドが設置され、前記歯ブラシのヘッドの左側面には刷毛が設置され、前記把柄部の下端には貯蔵溝が左右対称的に設置され、前記貯蔵溝の上端壁には貫通溝が設置され、前記貯蔵溝が前記貫通溝に連通しており、前記貯蔵溝の左端壁には回転チャンバが設置され、前記貯蔵溝が前記回転チャンバに連通しており、前記回転チャンバの上端壁には長スライド溝が設置され、前記回転チャンバが前記長スライド溝に連通しており、前記長スライド溝が前記貫通溝を貫通しており、前記貯蔵溝の中には貯蔵装置が設置され、前記長スライド溝の上端壁には練り歯磨き入りチャンバが設置され、前記練り歯磨き入りチャンバはそれぞれ連結器溝に連通でき、前記連結器溝にはそれぞれ歯ブラシロッド溝が連通され、左端の前記歯ブラシロッド溝には第一Ｌ管が連通され、右端の前記歯ブラシロッド溝には第二Ｌ管が連通され、前記貫通溝の上端壁には作動チャンバが設置され、前記作動チャンバの中には押し装置が設置され、二つの前記作動チャンバの上端には親ねじ溝が設置され、前記親ねじ溝の上端には切換溝が設置され、前記弧状器の下端には動力チャンバが設置され、前記動力チャンバが前記切換溝に連通しており、前記動力チャンバと前記切換溝との中には動力装置が設置され、前記動力装置は前記貯蔵装置と前記押し装置との回転と移動を連動させ、前記歯ブラシのヘッドの下端にはネジ山溝が設置され、前記把柄部の左右両端にはそれぞれ引っ掛かりブロック溝が設置され、前記引っ掛かりブロック溝の左右端壁にはそれぞれリミット溝が設置され、前記弧状器の中にはＴ型環状溝が設置され、前記Ｔ型環状溝の中には解錠装置が設置され、
前記解錠装置は第一解錠機構を含み、前記第一解錠機構が前記把柄部の左端に位置しており、前記第一解錠機構は引っ掛かりブロックを含み、前記引っ掛かりブロックと前記引っ掛かりブロック溝とがスライドできるように装着され、前記引っ掛かりブロック溝の右端にはリミット溝が設置され、前記リミット溝の中にはリミットブロックがスライドできるように装着され、前記リミットブロックが前記引っ掛かりブロックと固定的に連結され、前記リミットブロックと前記リミット溝との間にはリミットバネが連結され、前記把柄部の上端にはＴ型ロッドが設置され、前記Ｔ型ロッドの上端にはＴ型ヘッドが設置され、前記Ｔ型ヘッドの中には台形ブロックスライド溝が設置され、前記台形ブロックスライド溝の下端には前記引っ掛かりブロック溝に連通しているひも溝が設置され、前記台形ブロックスライド溝の中には台形ブロックがスライドできるように装着され、前記台形ブロックと前記台形ブロックスライド溝との間には台形ブロックバネが連結され、前記ひも溝の中には固定滑車が設置され、前記台形ブロックの下端と前記引っ掛かりブロックとの間にはひもが連結され、前記Ｔ型環状溝の上端には前記台形ブロックとスライドできるように装着されることができる台形ブロック引っ掛かり溝が設置され、前記把柄部の右端には第二解錠機構が対称的に設置され、
モータを始動し、これによりモータ軸と、モータギヤと、ネジ山スリーブギヤと、ネジ山スリーブと、親ねじとの回転により、圧しブロックとゴムブロックとを連動させて下方へ移動させ、これにより練り歯磨きが前記貫通溝と、連結連通チャンバと、左溝と、前記練り歯磨き入りチャンバと、前記歯ブラシロッド溝と、前記第一Ｌ管とを通して前記刷毛に押し出されることを特徴とする練り歯磨き内蔵の歯ブラシ。
【請求項２】
前記動力装置は前記モータを含み、前記モータの下端には前記モータ軸が動力が伝達できるように連結され、前記モータ軸の下端には前記モータギヤが設置されたことを特徴とする請求項１に記載の練り歯磨き内蔵の歯ブラシ。
【請求項３】
前記貯蔵装置は第一貯蔵機構を含み、前記第一貯蔵機構が前記把柄部の左端に位置しており、前記第一貯蔵機構は貯蔵器を含み、前記貯蔵器と前記貯蔵溝との間には復帰バネが左右対称的に連結され、前記貯蔵器の中には貯蔵器溝が設置され、前記貯蔵器溝の中には輪ゴムが設置され、前記貯蔵器の左端面はラックであり、前記回転チャンバの前後端壁には回転軸が回転できるように連結され、前記回転軸には前記貯蔵器と噛み合っている回転ギヤが設置され、前記長スライド溝の中には作動器がスライドできるように装着され、前記作動器と前記長スライド溝との間には切換バネが連結され、前記作動器の中には前記連結連通チャンバが設置され、前記連結連通チャンバの上端壁には右溝と前記左溝が左右対称的にそれぞれ設置され、前記右溝が前記貫通溝に連通でき、前記左溝が前記練り歯磨き入りチャンバに連通でき、前記把柄部の右端には第二貯蔵機構が対称的に設置されたことを特徴とする請求項１に記載の練り歯磨き内蔵の歯ブラシ。
【請求項４】
前記押し装置は第一押し機構を含み、前記第一押し機構が前記把柄部の左端に位置しており、前記第一押し機構は前記親ねじを含み、前記親ねじが前記切換溝の下端壁と回転できるように連結され、前記親ねじには前記ネジ山スリーブがネジ山により連結され、前記ネジ山スリーブの上端には前記モータギヤと噛み合うことができる前記ネジ山スリーブギヤが設置され、前記ネジ山スリーブの下端には親ねじがネジ山により連結され、前記親ねじの下端には前記圧しブロックが設置され、前記圧しブロックの下端には前記作動チャンバとスライドできるように装着された前記ゴムブロックが設置されたことを特徴とする請求項１に記載の練り歯磨き内蔵の歯ブラシ。
【手続補正書】
【提出日】令和2年4月16日(2020.4.16)
【手続補正１】
【補正対象書類名】特許請求の範囲
【補正対象項目名】全文
【補正方法】変更
【補正の内容】
【特許請求の範囲】
【請求項１】
正面視で、把柄部を含み、前記把柄部の上端には弧状器がスライドできるように装着され、前記弧状器の上端には歯ブラシロッドが設置され、前記歯ブラシロッドの上端には歯ブラシのヘッドが設置され、前記歯ブラシのヘッドの左側面には刷毛が設置され、前記把柄部の下端には貯蔵溝が左右対称的に設置され、前記貯蔵溝の上端壁には貫通溝が設置され、前記貯蔵溝が前記貫通溝に連通しており、前記貯蔵溝の左端壁には回転チャンバが設置され、前記貯蔵溝が前記回転チャンバに連通しており、前記回転チャンバの上端壁には長スライド溝が設置され、前記回転チャンバが前記長スライド溝に連通しており、前記長スライド溝が前記貫通溝を貫通しており、前記貯蔵溝の中には貯蔵装置が設置され、前記長スライド溝の上端壁には練り歯磨き入りチャンバが設置され、前記練り歯磨き入りチャンバはそれぞれ連結器溝に連通でき、前記連結器溝にはそれぞれ歯ブラシロッド溝が連通され、左端の前記歯ブラシロッド溝には第一Ｌ管が連通され、右端の前記歯ブラシロッド溝には第二Ｌ管が連通され、前記貫通溝の上端壁には作動チャンバが設置され、前記作動チャンバの中には押し装置が設置され、二つの前記作動チャンバの上端には親ねじ溝が設置され、前記親ねじ溝の上端には切換溝が設置され、前記弧状器の下端には動力チャンバが設置され、前記動力チャンバが前記切換溝に連通しており、前記動力チャンバと前記切換溝との中には動力装置が設置され、前記動力装置は前記貯蔵装置と前記押し装置との回転と移動を連動させ、前記歯ブラシのヘッドの下端にはネジ山溝が設置され、前記把柄部の左右両端にはそれぞれ引っ掛かりブロック溝が設置され、前記引っ掛かりブロック溝の左右端壁にはそれぞれリミット溝が設置され、前記弧状器の中にはＴ型環状溝が設置され、前記Ｔ型環状溝の中には解錠装置が設置され、
前記動力装置は前記モータを含み、前記モータの下端には前記モータ軸が動力が伝達できるように連結され、前記モータ軸の下端には前記モータギヤが設置され、
前記貯蔵装置は第一貯蔵機構を含み、前記第一貯蔵機構が前記把柄部の左端に位置しており、前記第一貯蔵機構は貯蔵器を含み、前記貯蔵器と前記貯蔵溝との間には復帰バネが左右対称的に連結され、前記貯蔵器の中には貯蔵器溝が設置され、前記貯蔵器溝の中には輪ゴムが設置され、前記貯蔵器の左端面はラックであり、前記回転チャンバの前後端壁には回転軸が回転できるように連結され、前記回転軸には前記貯蔵器と噛み合っている回転ギヤが設置され、前記長スライド溝の中には作動器がスライドできるように装着され、前記作動器と前記長スライド溝との間には切換バネが連結され、前記作動器の中には前記連結連通チャンバが設置され、前記連結連通チャンバの上端壁には右溝と前記左溝が左右対称的にそれぞれ設置され、前記右溝が前記貫通溝に連通でき、前記左溝が前記練り歯磨き入りチャンバに連通でき、前記把柄部の右端には第二貯蔵機構が対称的に設置され、
前記押し装置は第一押し機構を含み、前記第一押し機構が前記把柄部の左端に位置しており、前記第一押し機構は前記親ねじを含み、前記親ねじが前記切換溝の下端壁と回転できるように連結され、前記親ねじには前記ネジ山スリーブがネジ山により連結され、前記ネジ山スリーブの上端には前記モータギヤと噛み合うことができる前記ネジ山スリーブギヤが設置され、前記ネジ山スリーブの下端には親ねじがネジ山により連結され、前記親ねじの下端には前記圧しブロックが設置され、前記圧しブロックの下端には前記作動チャンバとスライドできるように装着された前記ゴムブロックが設置され、
前記解錠装置は第一解錠機構を含み、前記第一解錠機構が前記把柄部の左端に位置しており、前記第一解錠機構は引っ掛かりブロックを含み、前記引っ掛かりブロックと前記引っ掛かりブロック溝とがスライドできるように装着され、前記引っ掛かりブロック溝の右端にはリミット溝が設置され、前記リミット溝の中にはリミットブロックがスライドできるように装着され、前記リミットブロックが前記引っ掛かりブロックと固定的に連結され、前記リミットブロックと前記リミット溝との間にはリミットバネが連結され、前記把柄部の上端にはＴ型ロッドが設置され、前記Ｔ型ロッドの上端にはＴ型ヘッドが設置され、前記Ｔ型ヘッドの中には台形ブロックスライド溝が設置され、前記台形ブロックスライド溝の下端には前記引っ掛かりブロック溝に連通しているひも溝が設置され、前記台形ブロックスライド溝の中には台形ブロックがスライドできるように装着され、前記台形ブロックと前記台形ブロックスライド溝との間には台形ブロックバネが連結され、前記ひも溝の中には固定滑車が設置され、前記台形ブロックの下端と前記引っ掛かりブロックとの間にはひもが連結され、前記Ｔ型環状溝の上端には前記台形ブロックとスライドできるように装着されることができる台形ブロック引っ掛かり溝が設置され、前記把柄部の右端には第二解錠機構が対称的に設置され、解錠装置の作用は前記弧状器の回転を制御することであり、
まず前記歯ブラシのヘッドを前記ネジ山により前記ブラシロッドに回転させて取り付け、これにより前記第一Ｌ管と前記第二Ｌ管はそれぞれ前記歯ブラシロッド溝に連通し、前記モータを始動し、これにより前記モータ軸と、前記モータギヤと、前記ネジ山スリーブギヤと、前記ネジ山スリーブと、前記との回転により、前記圧しブロックと前記ゴムブロックとを連動させて下方へ移動させ、これにより練り歯磨きが前記貫通溝と、前記連結連通チャンバと、前記左溝と、前記練り歯磨き入りチャンバと、前記歯ブラシロッド溝と、前記第一Ｌ管とを通して前記刷毛に押し出され、練り歯磨きを変える時、左端の前記引っ掛かりブロックを下方へ移動させ、前記ひもにより前記台形ブロックを下方へ引き、そして前記弧状器を回転させて右端の前記台形ブロックを前記台形ブロック引っ掛かり溝の中に引っ掛からせ、この時、右端の前記連結器溝が前記歯ブラシロッド溝に連通し、練り歯磨きを使い切った後、この時、前記ゴムブロックが一番底端に位置しており、この時、新しい練り歯磨きを前記貯蔵器溝の中に挿入し、そして上方へ押し、これにより前記貯蔵器が前記回転軸と前記回転ギヤとにより前記作動器を左方へ移動させ、これにより前記貫通溝が完全に開けられ、そして前記モータを始動し、これにより前記モータ軸と、前記モータギヤと、前記ネジ山スリーブギヤと、前記ネジ山スリーブと、前記との回転により、前記圧しブロックと前記ゴムブロックとを連動させて上方へ移動させ、練り歯磨きを前記作動チャンバの中に吸い込めばよいことを特徴とする練り歯磨き内蔵の歯ブラシ。
【手続補正書】
【提出日】令和2年8月5日(2020.8.5)
【手続補正１】
【補正対象書類名】特許請求の範囲
【補正対象項目名】全文
【補正方法】変更
【補正の内容】
【特許請求の範囲】
【請求項１】
正面視で、把柄部を含み、前記把柄部の上端には弧状器がスライドできるように装着され、前記弧状器の上端には歯ブラシロッドが設置され、前記歯ブラシロッドの上端には歯ブラシのヘッドが設置され、前記歯ブラシのヘッドの左側面には刷毛が設置され、前記把柄部の下端には貯蔵溝が左右対称的に設置され、前記貯蔵溝の上端壁には貫通溝が設置され、前記貯蔵溝が前記貫通溝に連通しており、前記貯蔵溝の左端壁には回転チャンバが設置され、前記貯蔵溝が前記回転チャンバに連通しており、前記回転チャンバの上端壁には長スライド溝が設置され、前記回転チャンバが前記長スライド溝に連通しており、前記長スライド溝が前記貫通溝を貫通しており、前記貯蔵溝の中には貯蔵装置が設置され、前記長スライド溝の上端壁には練り歯磨き入りチャンバが設置され、前記練り歯磨き入りチャンバはそれぞれ前記弧状器に位置する連結器溝と連通でき、前記連結器溝はそれぞれ前記歯ブラシロッドに位置する歯ブラシロッド溝と連通され、左端の前記歯ブラシロッド溝は前記歯ブラシのヘッドに位置する第一Ｌ管と連通され、右端の前記歯ブラシロッド溝は前記歯ブラシのヘッドに位置する第二Ｌ管と連通され、前記貫通溝の上端壁には作動チャンバが設置され、前記作動チャンバの中には押し装置が設置され、二つの前記作動チャンバの上端には親ねじ溝が設置され、前記親ねじ溝の上端には切換溝が設置され、前記弧状器の下端には動力チャンバが設置され、前記動力チャンバが前記切換溝に連通しており、前記動力チャンバと前記切換溝との中には動力装置が設置され、前記動力装置は前記貯蔵装置と前記押し装置との回転と移動を連動させ、前記歯ブラシのヘッドの下端にはネジ山溝が設置され、前記把柄部の左右両端にはそれぞれ引っ掛かりブロック溝が設置され、前記引っ掛かりブロック溝の左右端壁にはそれぞれリミット溝が設置され、前記弧状器の中にはＴ型環状溝が設置され、前記Ｔ型環状溝の中には解錠装置が設置され、
前記動力装置は前記モータを含み、前記モータの下端には前記モータ軸が動力が伝達できるように連結され、前記モータ軸の下端には前記モータギヤが設置され、
前記貯蔵装置は第一貯蔵機構を含み、前記第一貯蔵機構が前記把柄部の左端に位置しており、前記第一貯蔵機構は貯蔵器を含み、前記貯蔵器と前記貯蔵溝との間には復帰バネが左右対称的に連結され、前記貯蔵器の中には貯蔵器溝が設置され、前記貯蔵器溝の中には輪ゴムが設置され、前記貯蔵器の左端面はラックであり、前記回転チャンバの前後端壁には回転軸が回転できるように連結され、前記回転軸には前記貯蔵器と噛み合っている回転ギヤが設置され、前記長スライド溝の中には作動器がスライドできるように装着され、前記作動器と前記長スライド溝との間には切換バネが連結され、前記作動器の中には前記連結連通チャンバが設置され、前記連結連通チャンバの上端壁には右溝と前記左溝が左右対称的にそれぞれ設置され、前記右溝が前記貫通溝に連通でき、前記左溝が前記練り歯磨き入りチャンバに連通でき、前記把柄部の右端には第二貯蔵機構が対称的に設置され、
前記押し装置は第一押し機構を含み、前記第一押し機構が前記把柄部の左端に位置しており、前記第一押し機構は前記親ねじを含み、前記親ねじが前記切換溝の下端壁と回転できるように連結され、前記親ねじには前記ネジ山スリーブがネジ山により連結され、前記ネジ山スリーブの上端には前記モータギヤと噛み合うことができる前記ネジ山スリーブギヤが設置され、前記ネジ山スリーブの下端には親ねじがネジ山により連結され、前記親ねじの下端には前記圧しブロックが設置され、前記圧しブロックの下端には前記作動チャンバとスライドできるように装着された前記ゴムブロックが設置され、
前記解錠装置は第一解錠機構を含み、前記第一解錠機構が前記把柄部の左端に位置しており、前記第一解錠機構は引っ掛かりブロックを含み、前記引っ掛かりブロックと前記引っ掛かりブロック溝とがスライドできるように装着され、前記引っ掛かりブロック溝の右端にはリミット溝が設置され、前記リミット溝の中にはリミットブロックがスライドできるように装着され、前記リミットブロックが前記引っ掛かりブロックと固定的に連結され、前記リミットブロックと前記リミット溝との間にはリミットバネが連結され、前記把柄部の上端にはＴ型ロッドが設置され、前記Ｔ型ロッドの上端にはＴ型ヘッドが設置され、前記Ｔ型ヘッドの中には台形ブロックスライド溝が設置され、前記台形ブロックスライド溝の下端には前記引っ掛かりブロック溝に連通しているひも溝が設置され、前記台形ブロックスライド溝の中には台形ブロックがスライドできるように装着され、前記台形ブロックと前記台形ブロックスライド溝との間には台形ブロックバネが連結され、前記ひも溝の中には固定滑車が設置され、前記台形ブロックの下端と前記引っ掛かりブロックとの間にはひもが連結され、前記Ｔ型環状溝の上端には前記台形ブロックとスライドできるように装着されることができる台形ブロック引っ掛かり溝が設置され、前記把柄部の右端には第二解錠機構が対称的に設置され、解錠装置の作用は前記弧状器の回転を制御することであり、
まず前記歯ブラシのヘッドを前記ネジ山により前記ブラシロッドに回転させて取り付け、これにより前記第一Ｌ管と前記第二Ｌ管はそれぞれ前記歯ブラシロッド溝に連通し、前記モータを始動し、これにより前記モータ軸と、前記モータギヤと、前記ネジ山スリーブギヤと、前記ネジ山スリーブと、前記との回転により、前記圧しブロックと前記ゴムブロックとを連動させて下方へ移動させ、これにより練り歯磨きが前記貫通溝と、前記連結連通チャンバと、前記左溝と、前記練り歯磨き入りチャンバと、前記歯ブラシロッド溝と、前記第一Ｌ管とを通して前記刷毛に押し出され、練り歯磨きを変える時、左端の前記引っ掛かりブロックを下方へ移動させ、前記ひもにより前記台形ブロックを下方へ引き、そして前記弧状器を回転させて右端の前記台形ブロックを前記台形ブロック引っ掛かり溝の中に引っ掛からせ、この時、右端の前記連結器溝が前記歯ブラシロッド溝に連通し、練り歯磨きを使い切った後、この時、前記ゴムブロックが一番底端に位置しており、この時、新しい練り歯磨きを前記貯蔵器溝の中に挿入し、そして上方へ押し、これにより前記貯蔵器が前記回転軸と前記回転ギヤとにより前記作動器を左方へ移動させ、これにより前記貫通溝が完全に開けられ、そして前記モータを始動し、これにより前記モータ軸と、前記モータギヤと、前記ネジ山スリーブギヤと、前記ネジ山スリーブと、前記との回転により、前記圧しブロックと前記ゴムブロックとを連動させて上方へ移動させ、練り歯磨きを前記作動チャンバの中に吸い込めばよいことを特徴とする練り歯磨き内蔵の歯ブラシ。
【手続補正２】
【補正対象書類名】明細書
【補正対象項目名】全文
【補正方法】変更
【補正の内容】
【発明の詳細な説明】
【技術分野】
【０００１】
本発明は日用品分野を取り上げて、具体的には練り歯磨き内蔵の歯ブラシである。
【背景技術】
【０００２】
練り歯磨きは歯ブラシの必需品であり、同じ種類の練り歯磨きは三か月連続で使用できなく、そうでないと口腔に対する洗浄力が明らかに弱くなり、しかし、現有のほとんどの練り歯磨きと歯ブラシは分けて使用されるのであり、それは面倒くさいだけではなく、歯ブラシの使用が単一である欠点がある。
【先行技術文献】
【特許文献】
【０００３】
【特許文献１】中国特許出願公開第１０６２１３７７７号明細書
【発明の概要】
【発明が解決しようとする課題】
【０００４】
本発明は練り歯磨き内蔵の歯ブラシを提供し、上記背景技術において提出された問題を解決することを目的とする。
【課題を解決するための手段】
【０００５】
上記の目的を実現するために、本発明は以下の技術プランを提供する：練り歯磨き内蔵の歯ブラシは、把柄部を含み、前記把柄部の上端には弧状器がスライドできるように装着され、前記弧状器の上端には歯ブラシロッドが設置され、前記歯ブラシロッドの上端には歯ブラシのヘッドが設置され、前記歯ブラシのヘッドの左側面には刷毛が設置され、前記把柄部の下端には貯蔵溝が左右対称的に設置され、前記貯蔵溝の上端壁には貫通溝が設置され、前記貯蔵溝が前記貫通溝に連通しており、前記貯蔵溝の左端壁には回転チャンバが設置され、前記貯蔵溝が前記回転チャンバに連通しており、前記回転チャンバの上端壁には長スライド溝が設置され、前記回転チャンバが前記長スライド溝に連通しており、前記長スライド溝が前記貫通溝を貫通しており、前記貯蔵溝の中には貯蔵装置が設置され、前記長スライド溝の上端壁には練り歯磨き入りチャンバが設置され、前記練り歯磨き入りチャンバはそれぞれ前記弧状器に位置する連結器溝と連通でき、前記連結器溝はそれぞれ前記歯ブラシロッドに位置する歯ブラシロッド溝と連通され、左端の前記歯ブラシロッド溝は前記歯ブラシのヘッドに位置する第一Ｌ管と連通され、右端の前記歯ブラシロッド溝は前記歯ブラシのヘッドに位置する第二Ｌ管と連通され、前記貫通溝の上端壁には作動チャンバが設置され、前記作動チャンバの中には押し装置が設置され、二つの前記作動チャンバの上端には親ねじ溝が設置され、前記親ねじ溝の上端には切換溝が設置され、前記弧状器の下端には動力チャンバが設置され、前記動力チャンバが前記切換溝に連通しており、前記動力チャンバと前記切換溝との中には動力装置が設置され、前記動力装置は前記貯蔵装置と前記押し装置との回転と移動を連動させ、前記歯ブラシのヘッドの下端にはネジ山溝が設置され、前記把柄部の左右両端にはそれぞれ引っ掛かりブロック溝が設置され、前記引っ掛かりブロック溝の左右端壁にはそれぞれリミット溝が設置され、前記弧状器の中にはＴ型環状溝が設置され、前記Ｔ型環状溝の中には解錠装置が設置された。
【０００６】
好ましくは、前記動力装置はモータを含み、前記モータの下端にはモータ軸が動力が伝達できるように連結され、前記モータ軸の下端にはモータギヤが設置された。
【０００７】
好ましくは、前記貯蔵装置は第一貯蔵機構を含み、前記第一貯蔵機構が前記把柄部の左端に位置しており、前記第一貯蔵機構は貯蔵器を含み、前記貯蔵器と前記貯蔵溝との間には復帰バネが左右対称的に連結され、前記貯蔵器の中には貯蔵器溝が設置され、前記貯蔵器溝の中には輪ゴムが設置され、前記貯蔵器の左端面はラックであり、前記回転チャンバの前後端壁には回転軸が回転できるように連結され、前記回転軸には前記貯蔵器と噛み合っている回転ギヤが設置され、前記長スライド溝の中には作動器がスライドできるように装着され、前記作動器と前記長スライド溝との間には切換バネが連結され、前記作動器の中には連結連通チャンバが設置され、前記連結連通チャンバの上端壁には右溝と左溝が左右対称的にそれぞれ設置され、前記右溝が前記貫通溝に連通でき、前記左溝が前記練り歯磨き入りチャンバに連通でき、前記把柄部の右端には第二貯蔵機構が対称的に設置された。
【０００８】
好ましくは、前記押し装置は第一押し機構を含み、前記第一押し機構が前記把柄部の左端に位置しており、前記第一押し機構は親ねじを含み、前記親ねじが前記切換溝の下端壁と回転できるように連結され、前記親ねじにはネジ山スリーブがネジ山により連結され、前記ネジ山スリーブの上端には前記モータギヤと噛み合うことができるネジ山スリーブギヤが設置され、前記ネジ山スリーブの下端には親ねじがネジ山により連結され、前記親ねじの下端には圧しブロックが設置され、前記圧しブロックの下端には前記作動チャンバとスライドできるように装着されたゴムブロックが設置された。
【０００９】
好ましくは、前記解錠装置は第一解錠機構を含み、前記第一解錠機構が前記把柄部の左端に位置しており、前記第一解錠機構は引っ掛かりブロックを含み、前記引っ掛かりブロックと前記引っ掛かりブロック溝とがスライドできるように装着され、前記引っ掛かりブロック溝の右端にはリミット溝が設置され、前記リミット溝の中にはリミットブロックがスライドできるように装着され、前記リミットブロックが前記引っ掛かりブロックと固定的に連結され、前記リミットブロックと前記リミット溝との間にはリミットバネが連結され、前記把柄部の上端にはＴ型ロッドが設置され、前記Ｔ型ロッドの上端にはＴ型ヘッドが設置され、前記Ｔ型ヘッドの中には台形ブロックスライド溝が設置され、前記台形ブロックスライド溝の下端には前記引っ掛かりブロック溝に連通しているひも溝が設置され、前記台形ブロックスライド溝の中には台形ブロックがスライドできるように装着され、前記台形ブロックと前記台形ブロックスライド溝との間には台形ブロックバネが連結され、前記ひも溝の中には固定滑車が設置され、前記台形ブロックの下端と前記引っ掛かりブロックとの間にはひもが連結され、前記Ｔ型環状溝の上端には前記台形ブロックとスライドできるように装着されることができる台形ブロック引っ掛かり溝が設置され、前記把柄部の右端には第二解錠機構が対称的に設置された。
【発明の効果】
【００１０】
以上により、本発明の有益効果は：本装置は練り歯磨きを歯ブラシの中に内蔵することができ、しかも同時に二種類の練り歯磨きを内蔵でき、練り歯磨きと歯ブラシが別々に置かれることにより歯磨きをする時の不便を解消するだけではなく、練り歯磨きを歯ブラシに押し出すステップも省略し、同時に二種類の練り歯磨きが内蔵され、交換して使用でき、これにより練り歯磨きが口腔に対する洗浄効果が上がり、本装置が機械の伝動協働により、錯誤が出る可能性を低下させ、同時に単モータを使用して多機能を実現し、装置のコストを低減し、エネルギー消耗を節約する。
【図面の簡単な説明】
【００１１】
下記に図１〜４をあわせて本発明について詳しく説明し、便利に説明するために、下記の方向を以下のように規定する：図１は本発明装置の正面図であり、以下に述べる上下左右前後の方向と図１の自身投影関係の上下左右前後の方向とが一致である。
【００１２】
【図１】図１は本発明の練り歯磨き内蔵の歯ブラシの全体全断面の正面構成模式図
【図２】図２は本発明の歯ブラシのヘッドの構成模式図
【図３】図３は本発明の図１のＡの部分拡大図
【図４】図４は本発明の図１のＢ―Ｂ方向の断面図
【発明を実施するための形態】
【００１３】
図１〜４を参照し、本発明の実施例は：練り歯磨き内蔵の歯ブラシであり、練り歯磨き内蔵の歯ブラシは把柄部１００を含み、前記把柄部１００の上端には弧状器５２がスライドできるように装着され、前記弧状器５２の上端には歯ブラシロッド２２が設置され、前記歯ブラシロッド２２の上端には歯ブラシのヘッド７２が設置され、前記歯ブラシのヘッド７２の左側面には刷毛５３が設置され、前記把柄部１００の下端には貯蔵溝３４が左右対称的に設置され、前記貯蔵溝３４の上端壁には貫通溝４７が設置され、前記貯蔵溝３４が前記貫通溝４７に連通しており、前記貯蔵溝３４の左端壁には回転チャンバ４１が設置され、前記貯蔵溝３４が前記回転チャンバ４１に連通しており、前記回転チャンバ４１の上端壁には長スライド溝４３が設置され、前記回転チャンバ４１が前記長スライド溝４３に連通しており、前記長スライド溝４３が前記貫通溝４７を貫通しており、前記貯蔵溝３４の中には貯蔵装置１０２が設置され、前記長スライド溝４３の上端壁には練り歯磨き入りチャンバ４９が設置され、前記練り歯磨き入りチャンバ４９はそれぞれ前記弧状器５２に位置する連結器溝７１と連通でき、前記連結器溝７１はそれぞれ前記歯ブラシロッ２２ドに位置する歯ブラシロッド溝２３と連通され、左端の前記歯ブラシロッド溝２３は前記歯ブラシのヘッド７２に位置する第一Ｌ管５４と連通され、右端の前記歯ブラシロッド溝２３は前記歯ブラシのヘッド７２に位置する第二Ｌ管５５と連通され、前記貫通溝４７の上端壁には作動チャンバ３１が設置され、前記作動チャンバ３１の中には押し装置１０３が設置され、二つの前記作動チャンバ３１の上端には親ねじ溝３０が設置され、前記親ねじ溝３０の上端には切換溝２６が設置され、前記弧状器５２の下端には動力チャンバ５０が設置され、前記動力チャンバ５０が前記切換溝２６に連通しており、前記動力チャンバ５０と前記切換溝２６との中には動力装置１０１が設置され、前記動力装置１０１は前記貯蔵装置１０２と前記押し装置１０３との回転と移動を連動させ、前記歯ブラシのヘッド７２の下端にはネジ山溝５６が設置され、前記把柄部１００の左右両端にはそれぞれ引っ掛かりブロック溝６６が設置され、前記引っ掛かりブロック溝６６の左右端壁にはそれぞれリミット溝６４が設置され、前記弧状器５２の中にはＴ型環状溝６９が設置され、前記Ｔ型環状溝６９の中には解錠装置１０４が設置された。
【００１４】
前記動力装置１０１はモータ５１を含み、前記モータ５１の下端にはモータ軸２４が動力が伝達できるように連結され、前記モータ軸２４の下端にはモータギヤ２５が設置され、前記モータ５１を始動し、これにより前記モータ軸２４と前記モータギヤ２５とを連動させて回転させ、その作用は装置全体に動力を提供することである。
【００１５】
前記貯蔵装置１０２は第一貯蔵機構を含み、前記第一貯蔵機構が前記把柄部１００の左端に位置しており、前記第一貯蔵機構は貯蔵器３８を含み、前記貯蔵器３８と前記貯蔵溝３４との間には復帰バネ３６が左右対称的に連結され、前記貯蔵器３８の中には貯蔵器溝３７が設置され、前記貯蔵器溝３７の中には輪ゴム３５が設置され、前記貯蔵器３８の左端面はラックであり、前記回転チャンバ４１の前後端壁には回転軸３９が回転できるように連結され、前記回転軸３９には前記貯蔵器３８と噛み合っている回転ギヤ４０が設置され、前記長スライド溝４３の中には作動器４８がスライドできるように装着され、前記作動器４８と前記長スライド溝４３との間には切換バネ４２が連結され、前記作動器４８の中には連結連通チャンバ４５が設置され、前記連結連通チャンバ４５の上端壁には右溝４６と左溝４４が左右対称的にそれぞれ設置され、前記右溝４６が前記貫通溝４７に連通でき、前記左溝４４が前記練り歯磨き入りチャンバ４９に連通でき、前記把柄部１００の右端には第二貯蔵機構が対称的に設置され、その作用は練り歯磨きを加えることである。
【００１６】
前記押し装置１０３は第一押し機構を含み、前記第一押し機構が前記把柄部１００の左端に位置しており、前記第一押し機構は親ねじ２９を含み、前記親ねじ２９が前記切換溝２６の下端壁と回転できるように連結され、前記親ねじ２９にはネジ山スリーブ２８がネジ山により連結され、前記ネジ山スリーブ２８の上端には前記モータギヤ２５と噛み合うことができるネジ山スリーブギヤ２７が設置され、前記ネジ山スリーブ２８の下端には親ねじ２９がネジ山により連結され、前記親ねじ２９の下端には圧しブロック３２が設置され、前記圧しブロック３２の下端には前記作動チャンバ３１とスライドできるように装着されたゴムブロック３３が設置され、その作用は練り歯磨きを歯ブラシに押し出すことである。
【００１７】
前記解錠装置１０４は第一解錠機構を含み、前記第一解錠機構が前記把柄部１００の左端に位置しており、前記第一解錠機構は引っ掛かりブロック６７を含み、前記引っ掛かりブロック６７と前記引っ掛かりブロック溝６６とがスライドできるように装着され、前記引っ掛かりブロック溝６６の右端にはリミット溝６４が設置され、前記リミット溝６４の中にはリミットブロック６３がスライドできるように装着され、前記リミットブロック６３が前記引っ掛かりブロック６７と固定的に連結され、前記リミットブロック６３と前記リミット溝６４との間にはリミットバネ６５が連結され、前記把柄部１００の上端にはＴ型ロッド６８が設置され、前記Ｔ型ロッド６８の上端にはＴ型ヘッド７０が設置され、前記Ｔ型ヘッド７０の中には台形ブロックスライド溝５７が設置され、前記台形ブロックスライド溝５７の下端には前記引っ掛かりブロック溝６６に連通しているひも溝７３が設置され、前記台形ブロックスライド溝５７の中には台形ブロック５９がスライドできるように装着され、前記台形ブロック５９と前記台形ブロックスライド溝５７との間には台形ブロックバネ６０が連結され、前記ひも溝７３の中には固定滑車６２が設置され、前記台形ブロック５９の下端と前記引っ掛かりブロック６７との間にはひも６１が連結され、前記Ｔ型環状溝６９の上端には前記台形ブロック５９とスライドできるように装着されることができる台形ブロック引っ掛かり溝５８が設置され、前記把柄部１００の右端には第二解錠機構が対称的に設置され、その作用は前記弧状器５２の回転を制御することである。
【００１８】
使用する時、まず歯ブラシのヘッド７２をネジ山２１により歯ブラシロッド２２に回転させて取り付け、これにより第一Ｌ管５４と第二Ｌ管５５はそれぞれ歯ブラシロッド溝２３に連通し、モータ５１を始動し、これによりモータ軸２４と、モータギヤ２５と、ネジ山スリーブギヤ２７と、ネジ山スリーブ２８と、２９との回転により、圧しブロック３２とゴムブロック３３とを連動させて下方へ移動させ、これにより練り歯磨きが貫通溝４７と、連結連通チャンバ４５と、左溝４４と、練り歯磨き入りチャンバ４９と、歯ブラシロッド溝２３と、第一Ｌ管５４とを通して刷毛５３に押し出され、練り歯磨きを変える時、左端の引っ掛かりブロック６７を下方へ移動させ、ひも６１により台形ブロック５９を下方へ引き、そして弧状器５２を回転させて右端の台形ブロック５９を台形ブロック引っ掛かり溝５８の中に引っ掛からせ、この時、右端の連結器溝７１が歯ブラシロッド溝２３に連通し、練り歯磨きを使い切った後、この時、ゴムブロック３３が一番底端に位置しており、この時、新しい練り歯磨きを貯蔵器溝３７の中に挿入し、そして上方へ押し、これにより貯蔵器３８が回転軸３９と回転ギヤ４０とにより作動器４８を左方へ移動させ、これにより貫通溝４７が完全に開けられ、そしてモータ５１を始動し、これによりモータ軸２４と、モータギヤ２５と、ネジ山スリーブギヤ２７と、ネジ山スリーブ２８と、２９との回転により、圧しブロック３２とゴムブロック３３とを連動させて上方へ移動させ、練り歯磨きを作動チャンバ３１の中に吸い込めばよい。
【００１９】
本発明の有益効果は：本装置は練り歯磨きを歯ブラシの中に内蔵することができ、しかも同時に二種類の練り歯磨きを内蔵でき、練り歯磨きと歯ブラシが別々に置かれることにより歯磨きをする時の不便を解消するだけではなく、練り歯磨きを歯ブラシに押し出すステップも省略し、同時に二種類の練り歯磨きが内蔵され、交換して使用でき、これにより練り歯磨きが口腔に対する洗浄効果が上がり、本装置が機械の伝動協働により、錯誤が出る可能性を低下させ、同時に単モータを使用して多機能を実現し、装置のコストを低減し、エネルギー消耗を節約する。
【００２０】
以上に述べたのはただ本発明の具体的な実施方式で、しかし本発明の保護範囲はここに限らないである。全部の創造的な労働を通じなく思いついた変化と取替は本発明の保護範囲にカバーされる。そのため、本発明の保護範囲は権利要求書が限定される保護範囲を標準とする。